(57)【要約】【課題】商品収納部の背面側から商品収納部の前方に向かって空気を吐出する構造であっても冷却効率を低下させることのないオープンショーケースを提供する。【解決手段】各商品棚４の下面に沿って前方に流通する空気を各商品棚４の前端側に設けた空気案内部材４ｅによって下方に案内するようにしたので、各商品収納部２，３の背面側から商品収納部２，３内に吐出された空気が各商品収納部２，３の開口部からショーケース本体１の外部に流出することがなく、各商品収納部２，３内の冷却効率の低下を確実に防止することができる。【選択図】図１
2005055121.tif 000002
【特許請求の範囲】
【請求項１】
所定の面を開口したショーケース本体と、ショーケース本体内に設けられた商品収納部と、商品収納部内に設けられた商品棚と、ショーケース本体の底面側及び商品収納部の背面側に沿って形成された通風路と、底面側通風路内に配置された冷却器及び送風機とを備え、ショーケース本体の開口部の下部に設けた空気吸入口から底面側通風路内に吸入した空気を冷却器によって冷却し、商品収納部の背面側通風路に設けた空気吐出口から商品収納部内に吐出するようにしたオープンショーケースにおいて、
前記商品棚の前端側に、商品棚の下面に沿って商品棚の前方に流通する空気を下方に案内する空気案内部材を設けた
ことを特徴とするオープンショーケース。
【請求項２】
前記空気案内部材を商品棚の前端側から下方に延びる可撓性の部材によって形成した
ことを特徴とする請求項１記載のオープンショーケース。
【請求項３】
前記空気案内部材を透明に形成した
ことを特徴とする請求項２記載のオープンショーケース。
【請求項４】
前記ショーケース本体の前面、背面及び幅方向少なくとも一側面を開口するとともに、ショーケース本体の前面側、背面側及び側面側にそれぞれ商品収納部を設け、
各商品収納部の背面側に前記背面側通風路を形成する縦ダクトを設けるとともに、縦ダクトには各商品収納部に空気を吐出する空気吐出口を設けた
ことを特徴とする請求項１、２または３記載のオープンショーケース。
【請求項５】
前記側面側商品収納部の背面側に配置される縦ダクトを側面側商品収納部よりも幅を小さく形成し、側面側商品収納部の幅方向両側を縦ダクトの幅方向両側から前面側及び背面側商品収納部にそれぞれ連通させた
ことを特徴とする請求項４記載のオープンショーケース。
【請求項６】
前記側面側商品収納部の背面側に配置される縦ダクトに、空気吐出口から吐出される空気を側面側商品収納部の幅方向両側に案内する空気案内部材を設けた
ことを特徴とする請求項５記載のオープンショーケース。
【発明の詳細な説明】
【技術分野】
【０００１】
本発明は、コンビニエンスストア、スーパーマーケット等の店舗に設置されるオープンショーケースに関するものである。
【背景技術】
【０００２】
従来、この種のオープンショーケースとしては、前面及び背面を開口したショーケース本体と、ショーケース本体内の前面側及び背面側にそれぞれ設けられた商品収納部と、各商品収納部内に設けられた上下複数段の商品棚と、ショーケース本体の底面側及び商品収納部の背面側に沿って形成された通風路と、底面側通風路内に配置された冷却器及び送風機とを備え、ショーケース本体の開口部の下部に設けた空気吸入口から底面側通風路内に吸入した空気を冷却器によって冷却し、各商品収納部の背面側通風路に設けた複数の空気吐出口から各商品収納部内に吐出するようにしたものが知られている（例えば、特許文献１参照。）。
【特許文献１】特開平１１−５１５４０号公報
【発明の開示】
【発明が解決しようとする課題】
【０００３】
しかしながら、前記オープンショーケースでは、各商品収納部の背面側通風路から吐出される空気は商品棚に沿って前方に流通するため、各商品収納部内の冷気がショーケース本体の開口部から外部に流出し易く、冷却効率を低下させるという問題点があった。
【０００４】
本発明は前記問題点に鑑みてなされたものであり、その目的とするところは、商品収納部の背面側から商品収納部の前方に向かって空気を吐出する構造であっても冷却効率を低下させることのないオープンショーケースを提供することにある。
【課題を解決するための手段】
【０００５】
本発明は前記目的を達成するために、請求項１では、所定の面を開口したショーケース本体と、ショーケース本体内に設けられた商品収納部と、商品収納部内に設けられた商品棚と、ショーケース本体の底面側及び商品収納部の背面側に沿って形成された通風路と、底面側通風路内に配置された冷却器及び送風機とを備え、ショーケース本体の開口部の下部に設けた空気吸入口から底面側通風路内に吸入した空気を冷却器によって冷却し、商品収納部の背面側通風路に設けた空気吐出口から商品収納部内に吐出するようにしたオープンショーケースにおいて、前記商品棚の前端側に、商品棚の下面に沿って商品棚の前方に流通する空気を下方に案内する空気案内部材を設けている。これにより、商品棚の下面に沿って前方に流通する空気が商品棚の前端側に設けた空気案内部材によって下方に案内されることから、商品収納部の開口部からショーケース本体の外部に流出することがない。
【０００６】
また、請求項２では、請求項１記載のオープンショーケースにおいて、前記空気案内部材を商品棚の前端側から下方に延びる可撓性の部材によって形成している。これにより、請求項１の作用に加え、例えば商品の出し入れを行う際に、商品や手指が空気案内部材に接触しても、空気案内部材が撓んで接触時の衝撃が吸収される。
【０００７】
また、請求項３では、請求項２記載のオープンショーケースにおいて、前記空気案内部材を透明に形成している。これにより、請求項２の作用に加え、空気案内部材を透して商品棚の下方の商品を視認することが可能となる。
【０００８】
また、請求項４では、請求項１、２または３記載のオープンショーケースにおいて、前記ショーケース本体の前面、背面及び幅方向少なくとも一側面を開口するとともに、ショーケース本体の前面側、背面側及び側面側にそれぞれ商品収納部を設け、各商品収納部の背面側に前記背面側通風路を形成する縦ダクトを設けるとともに、縦ダクトには各商品収納部に空気を吐出する空気吐出口を設けている。これにより、請求項１、２または３の作用に加え、ショーケース本体の前面側、背面側及び幅方向少なくとも一側面側に商品の陳列が可能となり、各商品収納部内は縦ダクトの空気吐出口から吐出される空気によって冷却される。
【０００９】
また、請求項５では、請求項４記載のオープンショーケースにおいて、前記側面側商品収納部の背面側に配置される縦ダクトを側面側商品収納部よりも幅を小さく形成し、側面側商品収納部の幅方向両側を縦ダクトの幅方向両側から前面側及び背面側商品収納部にそれぞれ連通させている。これにより、請求項４の作用に加え、側面側商品収納部の幅方向両側が縦ダクトの幅方向両側から前面側及び背面側商品収納部にそれぞれ連通していることから、各商品収納部を互いに幅方向に連続するように形成することが可能となる。
【００１０】
また、請求項６では、請求項５記載のオープンショーケースにおいて、前記側面側商品収納部の背面側に配置される縦ダクトに、空気吐出口から吐出される空気を側面側商品収納部の幅方向両側に案内する空気案内部材を設けている。これにより、請求項５の作用に加え、側面側商品収納部内に吐出される空気が空気案内部材によって側面側商品収納部内の幅方向に満遍なく分散される。
【発明の効果】
【００１１】
以上説明したように、請求項１のオープンショーケースによれば、商品収納部の背面側から吐出された空気が商品収納部の開口部からショーケース本体の外部に流出することがないので、商品収納部内の冷却効率の低下を確実に防止することができる。
【００１２】
また、請求項２のオープンショーケースによれば、請求項１の効果に加え、例えば商品の出し入れを行う際、商品や手指が空気案内部材に接触しても、接触時の衝撃を吸収することができるので、商品や手指を痛めることがないという利点がある。
【００１３】
また、請求項３のオープンショーケースによれば、請求項２の効果に加え、空気案内部材を透して商品棚の下方の商品を視認することができるので、展示効果を低下させることがないという利点がある。
【００１４】
また、請求項４のオープンショーケースによれば、請求項１、２または３の効果に加え、ショーケース本体１の前面側、背面側及び幅方向少なくとも一側面側に商品の陳列が可能となるので、商品の収納効率の向上を図ることができる。
【００１５】
また、請求項５のオープンショーケースによれば、請求項４の効果に加え、各商品収納部を互いに幅方向に連続するように形成することができるので、商品の展示効果をより一層向上させることができる。
【００１６】
また、請求項６のオープンショーケースによれば、請求項５の効果に加え、側面側商品収納部内に吐出される空気を側面側商品収納部内の幅方向に満遍なく分散させることができるので、縦ダクトの幅を側面側商品収納部よりも小さく形成した構造においても、側面側商品収納部内を均一に冷却することができる。
【発明を実施するための最良の形態】
【００１７】
図１乃至図６は本発明の一実施形態を示すもので、図１はオープンショーケースの斜視図、図２はその正面図、図３は正面概略断面図、図４はその側面概略断面図、図５はその平面概略断面図、図６は商品棚の要部側面断面図である。
【００１８】
このオープンショーケースは前面、背面及び幅方向一側面を開口したショーケース本体１と、ショーケース本体１内の前面側及び背面側にそれぞれ設けられた第１の商品収納部２と、ショーケース本体１内の幅方向一側面側に設けられた第２の商品収納部３と、各商品収納部２，３内に設けられた複数の商品棚４と、ショーケース本体１の底面側、幅方向両側面側及び上面側にそれぞれ形成された通風路５と、各第１の商品収納部２の背面側に設けられた第１の縦ダクト６と、第２の商品収納部３の背面側に設けられた第２の縦ダクト７と、底面側通風路５内に配置された冷却器８及び送風機９とを備えている。
【００１９】
ショーケース本体１は、その上面を覆う断熱性の天板１０と、ショーケース本体１の前面、背面、一側面の下部及び底面側を覆う断熱壁１１と、ショーケース本体１の幅方向他側面を覆う側板１２と、各第１の商品収納部２の上面を覆う上面板１３と、各第１の商品収納部２の底面を覆う第１の底面板１４と、第２の商品収納部３の底面を覆う第２の底面板１５とからなり、ショーケース本体１の開口部下端には底面側通風路５内に連通する空気吸入口１ａが各商品収納部２，３，４の周縁に亘って設けられている。また、ショーケース本体１の下部には機械室１ｂが設けられ、機械室１ｂ内には圧縮機、凝縮器等の冷凍機器（図示せず）が収容されている。
【００２０】
各第１の商品収納部２は、それぞれショーケース本体１の前面側及び背面側開口部の内側に形成され、互いに各縦ダクト６，７を間にして設けられている。
【００２１】
第２の商品収納部３は、ショーケース本体１の一側面側開口部の内側に形成され、一方の縦ダクト６の前後方向両側を通じて各第１の商品収納部２にそれぞれ連通している。
【００２２】
各商品棚４は各商品収納部２，３内に上下複数段に設けられ、各段の商品棚４は互いに各商品収納部２，３に亘って連続するように形成されている。商品棚４は、図６に示すようにブラケット４ａによって支持された棚本体４ｂの上面に棚板４ｃを載置してなり、棚板４ｃの前端には棚ガード４ｄが取付けられている。また、各商品棚４の前端側には前方に流通する空気を下方に案内する空気案内部材４ｅが設けられ、空気案内部材４ｅは各商品棚４の幅方向に連続して形成されている。空気案内部材４ｅは、例えば厚手のビニールシートなど、可撓性の透明部材からなり、その上端を棚本体４ｂの下面に固定されている。
【００２３】
通風路５は、その底面側を各底面板１４，１５と断熱壁１１との間に形成され、その上面側は天板１０と上面板１３との間に形成されている。通風路５の底面側及び上面側は互いに各縦ダクト６，７を介して連通しており、底面側通風路５内の空気は各縦ダクト６，７に流入するようになっている。また、上面側通風路５の前後方向両端には、各第２の商品収納部３に空気を吐出する空気吐出口５ａがそれぞれ設けられている。
【００２４】
第１の縦ダクト６は各第１の商品収納部２の背面に沿って上下方向に延びる中空状に形成され、その上端及び下端をそれぞれ上面側通風路５及び底面側通風路５に連通させている。第１の縦ダクト７の前面及び背面には、各第１の商品収納部３内にそれぞれ臨む空気吐出口６ａが上下方向及び幅方向の複数箇所に設けられ、各空気吐出口６ａは第１の縦ダクト７の上部に多く設けられている。
【００２５】
第２の縦ダクト７は上端側から下端側に向かって前後方向の幅が徐々に広くなる縦長中空状に形成され、その上端及び下端をそれぞれ上面側通風路５及び底面側通風路５に連通させている。この場合、第２の縦ダクト７は、第２の商品収納部２よりも幅を小さく形成されるとともに、その内部を第１の縦ダクト６内に連通するように第１の縦ダクト６の一側面と一体に形成されている。また、第２の縦ダクト７の一側面には、第２の商品収納部２内に臨む空気吐出口７ａが上下方向及び幅方向の複数箇所に設けられている。更に、第２の縦ダクト７の一側面には、空気吐出口７ａから吐出される空気を第２の商品収納部３内の幅方向一端側及び他端側にそれぞれ案内する複数の空気案内板７ｂが取付けられており、各空気案内板７ｂは斜め側方に向かって傾斜するように設けられている。
【００２６】
冷却器８は機械室１ｂ内の冷凍機器に接続された蒸発器からなり、底面側通風路５内に互いに前後方向に隣接するように計２つ設けられている。
【００２７】
送風機９は底面側通風路５内に計２つ設けられ、それぞれ各第１の商品収納部２の第１の底面板１５の下方に配置されている。
【００２８】
以上のように構成されたオープンショーケースにおいては、空気吸入口１ａから底面側通風路５内に吸入された空気が各冷却器８によって冷却されるとともに、各縦ダクト６，７内の通風路５を介して上面側通風路５まで流通し、各縦ダクト６，７の空気吐出口６ａ，７ａ及び上面側通風路５の空気吐出口５ａから各商品収納部２，３内に吐出される。その際、各縦ダクト６，７の空気吐出口６ａ，７ａから吐出された空気は各商品収納部２，３内の背面側から前面側に向かって流通するが、各商品棚４の下面に沿って前方に流通する空気は、各商品棚４の空気案内部材４ｅによって下方に案内されることから、各商品収納部２，３の開口部からショーケース本体１の外部に流出することがない。また、第２の縦ダクト７の空気吐出口７ａから吐出される空気は、各空気案内板７ｂによって第２の商品収納部３内の幅方向一端側及び他端側にそれぞれ案内されることから、第２の商品収納部３内の幅方向に満遍なく分散する。
【００２９】
このように、本実施形態のオープンショーケースによれば、各商品棚４の下面に沿って前方に流通する空気を各商品棚４の前端側に設けた空気案内部材４ｅによって下方に案内するようにしたので、各商品収納部２，３の背面側から商品収納部２，３内に吐出された空気が各商品収納部２，３の開口部からショーケース本体１の外部に流出することがなく、各商品収納部２，３内の冷却効率の低下を確実に防止することができる。
【００３０】
また、空気案内部材４ｅを商品棚４の前端側から下方に延びる可撓性の部材によって形成したので、商品の出し入れを行う際、商品や手指が空気案内部材４ｅに接触しても、空気案内部材４ｅが撓んで接触時の衝撃が吸収されることから、商品や手指を痛めることがないという利点がある。
【００３１】
この場合、空気案内部材４ｅを透明に形成したので、空気案内部材４ｅを透して商品棚４の下方の商品を視認することができ、展示効果を低下させることがないという利点がある。
【００３２】
また、ショーケース本体１の前面側、背面側及び側面側にそれぞれ商品収納部２，３を設け、各商品収納部２，３の背面側に設けた各縦ダクト６，７から各商品収納部２，３に空気を吐出するようにしたので、ショーケース本体１の前面側のみならず、背面側及び幅方向一側面側にも商品の陳列が可能となり、商品の収納効率の向上を図ることができる。尚、第２の商品収納部３はショーケース本体１の幅方向両側にそれぞれ設けられていてもよい。
【００３３】
更に、第２の商品収納部３の背面側に配置される第２の縦ダクト７を第２の商品収納部３よりも幅を小さく形成し、第２の商品収納部３を縦ダクト７の幅方向両側を通じて各第１の商品収納部２に連通させるようにしたので、各商品収納部２，３を互いに幅方向に連続するように形成することができ、商品の展示効果をより一層向上させることができる。
【００３４】
この場合、第２の縦ダクト７に、空気吐出口７ａから吐出される空気を第２の商品収納部３の幅方向両側にそれぞれ案内する複数の空気案内部材７ｂを設けたので、空気吐出口７ａから吐出される空気を第２の商品収納部３内の幅方向に満遍なく分散させることができ、第２の縦ダクト７の幅を第２の商品収納部３よりも小さく形成した構造においても、第２の商品収納部３内を均一に冷却することができる。
【図面の簡単な説明】
【００３５】
【図１】本発明の一実施形態を示すオープンショーケースの斜視図
【図２】オープンショーケースの正面図
【図３】オープンショーケースの正面概略断面図
【図４】オープンショーケースの側面概略断面図
【図５】オープンショーケースの平面概略断面図
【図６】商品棚の要部側面断面図
【符号の説明】
【００３６】
１…ショーケース本体、１ａ…空気吸入口、２…第１の商品収納部、３…第２の商品収納部、４…商品棚、４ｅ…空気案内部材、５…通風路、６…第１の縦ダクト、６ａ…空気吐出口、７…第２の縦ダクト、７ａ…空気吐出口、７ｂ…空気案内板、８…冷却器、９…送風機。
【図１】
2005055121.tif 000003
【図２】
2005055121.tif 000004
【図３】
2005055121.tif 000005
【図４】
2005055121.tif 000006
【図５】
2005055121.tif 000007
【図６】
2005055121.tif 000008